【手続補正書】
【提出日】平成16年10月25日(2004.10.25)
【手続補正１】
【補正対象書類名】明細書
【補正対象項目名】０００１
【補正方法】変更
【補正の内容】
【０００１】
【発明の属する技術分野】
本発明は定着部材に関し、特に、例えば静電複写機、とりわけゼログラッフィク機における定着ロールからのトナーの剥離性を向上させる機能性剥離剤を備えた定着部材のコ−ティングに関する。実施形態において、本発明の剥離剤は、定着ロール基板にコーティングされてオフセットを防止する水素化物（ＳｉＨ）機能性シリコーン油を含み、耐高温ポリマー、実施形態ではフルオロポリマーの外層を有するのが好ましい。実施形態では、コーティングが、定着ロールのポリマー表面層に存在する導電性充填剤と反応する。本発明の定着部材の利点は、実施形態においては、トナーオフセットを低減し、外部定着層の表面エネルギーを低下し、定着表面層に定着油をより均一にコーティングし、トナーに必要なワックスの量を減少させ、定着部材の剥離性の寿命を長くし、コピー用紙に定着油を迅速に拡散させることによって、磁性インク等のインクが定着しにくいという問題を緩和し、接合剤や３−Ｍ  Ｐｏｓｔ−Ｉｔ（登録商標）Ｎｏｔｅｓ等の付着可能なノートを接着し易くすることである。実施形態において、本発明の剥離コーティングは、水素化物の機能性シロキサンを充填剤成分の活性な機能性基と混合し、それによって充填剤上に低表面エネルギシリコーン面を与えることによって得られる。多くの既知の電子写真結像印刷方法に対して選択可能な定着油を含む本発明の定着部材には、ここで示すように多くの利点がある。
【手続補正２】
【補正対象書類名】明細書
【補正対象項目名】００１６
【補正方法】変更
【補正の内容】
【００１６】
本発明の定着システム部材の外層または中間層の例として、フルオロポリマー等のポリマーが挙げられる。特に、好適なフルオロポリマーは、米国特許第４，２５７，６９９号、第５，０１７，４３２号および第５，０６１，９６５号に加えて、第５，１６６，０３１号、第５，２８１，５０６号、第５，３６６，７７２号および第５，３７０，９３１号に詳細に述べられている。そこで述べられているように、特に、フッ化ビニリデンおよびヘキサフルオロプロピレンの共重合体、フッ化ビニリデン、ヘキサフルオロプロピレンおよびテトラフルオロエチレンのターポリマー、ならびにフッ化ビニリデン、ヘキサフルオロプロピレン、テトラフルオロエチレンおよびキュアサイトモノマーのテトラポリマーの類からのフルオロポリマーは、ＶＩＴＯＮ  Ａ（登録商標）、ＶＩＴＯＮ  Ｅ（登録商標）、ＶＩＴＯＮ  Ｅ６０Ｃ（登録商標）、ＶＩＴＯＮ  Ｅ４３０（登録商標）、ＶＩＴＯＮ  ９１０（登録商標）、ＶＩＴＯＮ  ＧＨ（登録商標）およびＶＩＴＯＮ  ＧＦ（登録商標）の名称で商業上知られている。ＶＩＴＯＮ（登録商標）は、Ｅ．Ｉ．ＤｕＰｏｎｔ  ｄｅ  Ｎｅｍｏｕｒｓ、Ｉｎｃ．の登録商標である。キュアサイトモノマーは、４−ブロモパーフルオロブテン−１、１，１−ジヒドロ−４−ブロモパーフルオロブテン−１、３−ブロモパーフルオロプロペン−１、１，１−ジヒドロ−３−ブロモパーフルオロプロペン−１、またはＤｕＰｏｎｔから商業上入手可能な他の好適な既知のキュアサイトモノマーでよい。他の商業上入手可能なフルオロポリマーは、ＦＬＵＯＲＥＬ２１７０（登録商標）、ＦＬＵＯＲＥＬ２１７４（登録商標）、ＦＬＵＯＲＥＬ２１７６（登録商標）、ＦＬＵＯＲＥＬ２１７７（登録商標）およびＦＬＵＯＲＥＬ  ＬＶＳ７６（登録商標）であり、ＦＬＵＯＲＥＬ（登録商標）は、３Ｍ社の登録商標である。さらに商業上入手可能な材料は、３Ｍ社から入手可能なＡＦＬＡＳ（商標）ポリプロピレン−テトラフルオロエチレンおよびＦＬＵＯＲＥＬＩＩ（登録商標）（ＬＩＩ９００）ポリプロピレン−テトラフルオロエチレンビニリデンフッ化物ならびにＭｏｎｔｅｄｉｓｏｎ・Ｓｐｅｃｉａｌｔｙ・Ｃｈｅｍｉｃａｌ社から入手可能なテクノフロン、ＦＯＲ−６０ＫＩＲ（登録商標）、ＦＯＲ−ＬＨＦ（登録商標）、ＮＭ（登録商標）  ＦＯＲ−ＴＨＦ（登録商標）、ＦＯＲ−ＴＦＳ（登録商標）、ＴＨ（登録商標）およびＴＮ５０５（登録商標）が挙げられる。
【手続補正３】
【補正対象書類名】明細書
【補正対象項目名】００１９
【補正方法】変更
【補正の内容】
【００１９】
本発明における定着部材の表面に有用な好ましいフルオロポリマーとしては、フルオロエラストマー、例えばコモノマーとしてヘキサフルオロプロピレンおよびテトラフルオロエチレンを含有するビニリデンフッ化物ベースのフルオロエラストマーが挙げられる。好ましい既知のフルオロエラストマーが３つある。すなわち、（１）商業上ＶＩＴＯＮ  Ａ（登録商標）で知られるビニリデンフッ化物およびヘキサフルオロプロピレンの共重合体の類、（２）商業上ＶＩＴＯＮ  Ｂ（登録商標）で知られるビニリデンフッ化物、ヘキサフルオロプロピレンおよびテトラフルオロエチレンのターポリマーの類、ならびに（３）商業上ＶＩＴＯＮ  ＧＨ（登録商標）またはＶＩＴＯＮ  ＧＦ（登録商標）で知られるビニリデンフッ化物、ヘキサフルオロプロピレン、テトラフルオロエチレンおよびキュアサイトモノマーのテトラポリマーの類である。ＶＩＴＯＮ  Ａ（登録商標）、ＶＩＴＯＮ  Ｂ（登録商標）、ＶＩＴＯＮ  ＧＨ（登録商標）、ＶＩＴＯＮ  ＧＦ（登録商標）および他のＶＩＴＯＮ（登録商標）は、Ｅ．Ｉ．ＤｕＰｏｎｔ  ｄｅ  Ｎｅｍｏｕｒｓ社の登録商標である。
【手続補正４】
【補正対象書類名】明細書
【補正対象項目名】００２０
【補正方法】変更
【補正の内容】
【００２０】
Ｅ．Ｉ．Ｄｕｐｏｎｔ  ｄｅ  Ｎｅｍｏｕｒｓ社から入手可能なフルオロエラストマーＶＩＴＯＮ  ＧＨ（登録商標）およびＶＩＴＯＮ  ＧＦ（登録商標）は、ビニリデンフッ化物が比較的少量である好ましい実施形態である。ＶＩＴＯＮ  ＧＦ（登録商標）およびＶＩＴＯＮ  ＧＨ（登録商標）は、ビニリデンフッ化物３５重量パーセント、ヘキサフルオロプロピレン３４重量パーセント、およびテトラフルオロエチレン２９重量パーセントならびにキュアサイトモノマー２重量パーセントを含有する。
【手続補正５】
【補正対象書類名】明細書
【補正対象項目名】００２１
【補正方法】変更
【補正の内容】
【００２１】
さらに好ましい実施形態において、フルオロポリマーはＰＦＡテフロン（登録商標）、ＦＥＰ、ＰＴＦＥ、ＶＩＴＯＮ  ＧＦ（登録商標）またはＶＩＴＯＮ  ＧＨ（登録商標）である。特に好ましい実施形態では、フルオロポリマーは、ＰＦＡテフロン（登録商標）、ＶＩＴＯＮ  ＧＦ（登録商標）またはＶＩＴＯＮ  ＧＨ（登録商標）である。
【手続補正６】
【補正対象書類名】明細書
【補正対象項目名】００４８
【補正方法】変更
【補正の内容】
【００４８】
セルロースベッドにより濾過するアミンの含有量がかなり減少したことを結果は示している。これは、セルロース繊維にアミン基をかなり吸着したことを示している。対照的に、水素化シリコーン油がセルロースベッドを通過すると、測定した水素化物含有量がわずかに減少した。このデータは、モノアミノ流体とは異なり、水素化シリコーン油が用紙セルロース繊維に吸収されず、用紙に拡散できないことを示している。結果として、チェック裏書きインクやＰｏｓｔ−Ｉｔ（ポストイット）（登録商標）Ｎｏｔｅｓ等の付着可能なノートの優れた表面接着性が得られる。